(57)【要約】【課題】共用器モジュール内の帯域フィルタ及びアイソレータの故障、既存の周波数の信号処理器の追加、変更及び新たな周波数の信号処理器の追加があっても柔軟に対応可能な放送用送信装置を提供する。【解決手段】ＢＰＦ２１及びアイソレータ３１をシャーシ装置２１１に収容し、ＢＰＦ２２及びアイソレータ３２をシャーシ装置２１２に収容し、ＢＰＦ２３及びアイソレータ３３をシャーシ装置２１３に収容するように構成している。【選択図】      図４
2007006259.tif 000002
【特許請求の範囲】
【請求項１】
放送信号を送信する送信局に用いられる放送用送信装置であって、
放送すべき番組情報信号を前記放送信号に変換する信号変換手段と、
この信号変換手段の出力信号を、放送帯域内で互いに通過帯域が異なる複数の帯域フィルタに通して出力するフィルタ手段とを具備し、
前記フィルタ手段は、前記帯域フィルタごとの複数のモジュールにより構成されることを特徴とする放送用送信装置。
【請求項２】
前記信号変換手段は、前記複数のモジュールにそれぞれ対応する複数の信号処理器から成り、
前記モジュールは第１のシャーシ装置に収容され、前記信号処理器は前記第１のシャーシ装置とは異なる第２のシャーシ装置に収容され、
前記第１及び第２のシャーシ装置は、筐体に収容されてなることを特徴とする請求項１記載の放送用送信装置。
【請求項３】
前記第１及び第２のシャーシ装置は、前記筐体の高さ方向に複数収容されることを特徴とする請求項２記載の放送用送信装置。
【請求項４】
前記第２のシャーシ装置は、現用系の信号処理器と予備系の信号処理器とを収容することを特徴とする請求項２記載の放送用送信装置。
【発明の詳細な説明】
【技術分野】
【０００１】
この発明は、例えば地上デジタル放送信号を送信する送信局に用いられる放送用送信装置に関する。
【背景技術】
【０００２】
放送局にあっては、番組情報信号を放送波として送出する送信装置が使用されている。この送信装置は、その内部に複数の信号処理器を並列に設けた構成である（例えば、特許文献１）。また、送信装置の内部には、各信号処理器の出力信号を放送波として送出するための共用器モジュールが設けられている。なお、共用器モジュールは、回路基板上に放送帯域内で互いに異なる複数の帯域フィルタと複数のアイソレータを配置した構造を採っている。
【特許文献１】特開２００２−２８０７８２号公報。
【発明の開示】
【発明が解決しようとする課題】
【０００３】
ところで、上記送信装置では、複数の帯域フィルタ及び複数のアイソレータの１つにおける障害発生時に、共用器モジュール自体を新たなモジュールに交換する必要が生じ、このためモジュールの製作に多くの時間がかかるとともに、製作コストも増大してしまうことになる。
【０００４】
また、上記送信装置では、拡張性に乏しく、例えば新たな周波数の信号処理器の追加に柔軟に対応することができない。これを解決するためには、共用器モジュール構成の設計変更が余儀なくされ、コストが大幅に増大してしまうことになる。
【０００５】
そこで、この発明の目的は、共用器モジュール内の帯域フィルタ及びアイソレータの故障、既存の周波数の信号処理器の追加、変更及び新たな周波数の信号処理器の追加があっても柔軟に対応可能な放送用送信装置を提供することにある。
【課題を解決するための手段】
【０００６】
この発明は、上記目的を達成するために、以下のように構成される。  
放送信号を送信する送信局に用いられる放送用送信装置であって、放送すべき番組情報信号を放送信号に変換する信号変換手段と、この信号変換手段の出力信号を、放送帯域内で互いに通過帯域が異なる複数の帯域フィルタに通して出力するフィルタ手段とを具備し、フィルタ手段を、帯域フィルタごとの複数のモジュールにより構成するようにしたものである。
【０００７】
この構成によれば、フィルタ手段を帯域フィルタごとの複数のモジュールに分割するようにしているので、例えば帯域フィルタの故障時に、故障のあったモジュールを正常なモジュールに交換するだけでよく、従来のように帯域フィルタ全部を含む共用器モジュールに交換する必要がなく、また他の正常な帯域フィルタに何ら手を加える必要がない。また、新たな周波数の帯域フィルタを増設する場合にも、この新たな帯域フィルタを含むモジュールを既存のモジュールに接続するだけでよい。
【０００８】
信号変換手段は、複数のモジュールにそれぞれ対応する複数の信号処理器から成り、モジュールは第１のシャーシ装置に収容され、信号処理器は第１のシャーシ装置とは異なる第２のシャーシ装置に収容され、第１及び第２のシャーシ装置は、筐体に収容されてなることを特徴とする。また、第１及び第２のシャーシ装置は、筐体の高さ方向に複数収容されることを特徴とする。
【０００９】
この構成によれば、モジュールは第１のシャーシ装置に収容され、信号処理器は第２のシャーシ装置に収容され、これら第１及び第２のシャーシ装置は対応付けられて筐体に収容されることになる。このため、筐体に空スペースがある限り、信号処理器もしくは帯域フィルタの増加に容易に対応することができる。
【００１０】
第２のシャーシ装置は、現用系の信号処理器と予備系の信号処理器とを収容することを特徴とする。  
この構成によれば、第２のシャーシ装置に現用系及び予備系の信号処理器を収容しておくことで、現用系の障害発生時にも、信号処理器の交換を行なう必要がなく便利である。
【発明の効果】
【００１１】
以上詳述したようにこの発明によれば、共用器モジュール内の帯域フィルタ及びアイソレータの故障、既存の周波数の信号処理器の追加、変更及び新たな周波数の信号処理器の追加があっても柔軟に対応可能な放送用送信装置を提供することができる。
【発明を実施するための最良の形態】
【００１２】
以下、この発明の実施形態について図面を参照して詳細に説明する。  
図１は、この発明の一実施形態に係わる放送用送信装置を用いたデジタル放送局内のシステムの要部構成を示すブロック図である。
【００１３】
デジタル放送局において、放送すべき番組情報信号は、送信装置１００内のｎ個の無線変換部１１〜１ｎにより無線周波数（ＲＦ）帯に周波数変換され、電力増幅される。ｎ個の無線変換部１１〜１ｎは、放送サービスエリアで要求される個数分備えられ、互いに変換すべく周波数が異なり、かつ独立して電源のオン／オフ切替が可能である。
【００１４】
無線変換部１１〜１ｎの各出力は、共用器モジュールを構成するＢＰＦ（Band Pass Filter）２１〜２ｎで不要波成分を除去された後、アイソレータ３１〜３ｎにより合成され、デジタル放送波としてアンテナ４１を介して送信される。
【００１５】
図２は、上記送信装置１００の概略的構成を示す斜視図であり、図３は上記送信装置１００を前面から見て示した図、図４は上記送信装置１００を側面から見て示した図である。なお、ここでは、無線変換部１１〜１３、ＢＰＦ２１〜２３、アイソレータ３１〜３３を代表して説明する。
【００１６】
図中符号１１０は略箱状のラックで、その開口部に無線変換部１１を収容したシャーシ装置２０１、無線変換部１２を収容したシャーシ装置２０２、及び無線変換部１３を収容したシャーシ装置２０３がそれぞれ前後方向に着脱自在となるように収容されている。また、ラック１１０の開口部には、ＢＰＦ２１及びアイソレータ３１を収容したシャーシ装置２１１、ＢＰＦ２２及びアイソレータ３２を収容したシャーシ装置２１２、及びＢＰＦ２３及びアイソレータ３３を収容したシャーシ装置２１３がそれぞれ前後方向に着脱自在となるように収容されている。
【００１７】
また、ラック１１０の背面側には、無線変換部１１〜１３に対し電源及び番組情報信号を供給するための入力インタフェース部と、無線変換部１１〜１３の出力信号をＢＰＦ２１〜２３に供給するための配線ケーブルと、アイソレータ３１〜３３の出力信号を出力するための出力インタフェース部とが設けられている。
【００１８】
また、アイソレータ３１とアンテナ４１との間はケーブル５１により接続され、アイソレータ３１，３２間はケーブル５２により接続され、アイソレータ３２，３３間はケーブル５３により接続される。さらに、アイソレータ３３には終端器５４が接続される。
【００１９】
次に、以上のように構成された送信装置１００の動作を説明する。  
まず、無線変換部１１はシャーシ装置２０１に収容され、無線変換部１２はシャーシ装置２０２に収容され、無線変換部１３はシャーシ装置２０３に収容される。また、ＢＰＦ２１及びアイソレータ３１はシャーシ装置２１１に収容され、ＢＰＦ２２及びアイソレータ３２はシャーシ装置２１２に収容され、ＢＰＦ２３及びアイソレータ３３はシャーシ装置２１３に収容される。
【００２０】
そして、シャーシ装置２０１〜２０３，２１１〜２１３は、ラック１１０に高さ方向に沿って収容され、しかる後に無線変換部１１とＢＰＦ２１との間、無線変換部１２とＢＰＦ２２との間、無線変換部１３とＢＰＦ２３との間にケーブルが接続され、さらにアイソレータ３１とアンテナ４１との間にケーブル５１が接続され、アイソレータ３１，３２間にケーブル５２が接続され、アイソレータ３２，３３間にケーブル５３が接続される。
【００２１】
ここで、従来では、図５に示すようなＢＰＦ２１〜２３，アイソレータ３１〜３３を含む共用器モジュールを収容したシャーシ装置３０１を、図６に示す如く、シャーシ装置２０１の上に配置していた。この場合、例えばＢＰＦ２１に故障が発生すると、共用器モジュールを新たに作り直す必要があった。そこで、本実施形態では、ＢＰＦ２１〜２３及びアイソレータ３１〜３３を周波数別のシャーシ装置２１１〜２１３に収容しているので、ＢＰＦ２１に故障が起きても、シャーシ装置２１１をラック１１０から抜き出して、ＢＰＦ２１及びアイソレータ３１を含むモジュールを新たなモジュールに交換するだけでよい。
【００２２】
また、上記のような構成において、無線変換部１２，ＢＰＦ２２及びアイソレータ３２を新たな周波数に対応する無線変換部、ＢＰＦ及びアイソレータに変更する場合、従来は、共用器モジュールを作り直す必要が生じていたが、本実施形態の場合、シャーシ装置２０２，２１２を、新たな無線変換部を収容したシャーシ装置と新たなＢＰＦ及びアイソレータを収容したシャーシ装置に交換するだけでよく、他のＢＰＦ２１，２３及びアイソレータ３１，３３に何ら手を加える必要がない。
【００２３】
また、シャーシ装置２０１〜２０３，２１１〜２１３は、全てラック１１０に対し並列的に配置されている構成であるので、新たな周波数に対応する無線変換部１４，ＢＰＦ２４及びアイソレータ３４を増設する場合に、図７に示すように、ラック１１０の空きスペースに、無線変換部１４を収容したシャーシ装置１０４と、ＢＰＦ２４及びアイソレータ３４を収容したシャーシ装置２１４とを収容するだけでよい。そして、図８に示すように、アイソレータ３３，３４間をケーブル５５により接続し、しかる後にアイソレータ３４に終端器５４を接続するだけでよい。
【００２４】
以上のように上記実施形態では、ＢＰＦ２１及びアイソレータ３１をシャーシ装置２１１に収容し、ＢＰＦ２２及びアイソレータ３２をシャーシ装置２１２に収容し、ＢＰＦ２３及びアイソレータ３３をシャーシ装置２１３に収容するように構成している。
【００２５】
従って、例えばＢＰＦ２１の故障時に、ＢＰＦ２１及びアイソレータ３１を含むモジュールを正常なモジュールに交換するだけでよく、従来のようにＢＰＦ２１〜２３及びアイソレータ３１〜３３を含む共用器モジュールを新たに作成する必要がなく、また他の正常なＢＰＦ２２，２３及びアイソレータ３２，３３に何ら手を加える必要がない。また、新たな周波数のＢＰＦ２４及びアイソレータ３４を増設する場合にも、この新たなＢＰＦ２４及びアイソレータ３４を含むモジュールを既存のモジュールに追加接続するだけでよい。
【００２６】
また、上記実施形態では、無線変換部２１を収容したシャーシ装置２０１をシャーシ装置２１１とセットでラック１１０に収容し、無線変換部２２を収容したシャーシ装置２０２をシャーシ装置２１２とセットでラック１１０に収容し、無線変換部２３を収容したシャーシ装置２０３をシャーシ装置２１３とセットでラック１１０に収容するようにしている。
【００２７】
従って、ラック１１０に空スペースがある限り、無線変換部１４もしくはＢＰＦ２４及びアイソレータ３４の追加に容易に対応することができる。また、無線変換部１１とＢＰＦ２１との間、無線変換部１２とＢＰＦ２２との間、無線変換部１３とＢＰＦ２３との間、アイソレータ３１とアンテナ４１との間に、アイソレータ３１，３２間、アイソレータ３２，３３間のケーブルの長さを均一にすることができ、これにより無線変換部１１〜１３，ＢＰＦ２１〜２３及びアイソレータ３１〜３３に供給すべく電力が均一にできる。
【００２８】
なお、上記実施形態では、シャーシ装置２０１〜２０４に無線変換部１１〜１４を収容する例について説明したが、シャーシ装置２０１〜２０４に現用系及び予備系の無線変換部を収容しておくようにすれば、現用系の障害発生時にも、無線変換部の交換を一々行なう必要がなく便利である。
【００２９】
その他、ラックの構成、シャーシ装置の配置構成、無線変換部等の信号処理器の種類等についても、この発明の要旨を逸脱しない範囲で種々変形して実施できる。
【図面の簡単な説明】
【００３０】
【図１】この発明の一実施形態に係わる放送用送信装置を用いたデジタル放送局内のシステムの要部構成を示すブロック図。
【図２】同実施形態における送信装置の概略的構成を示す斜視図。
【図３】同実施形態における送信装置を前面から見て示した図。
【図４】同実施形態における送信装置を側面から見て示した図。
【図５】従来使用されていた共用器モジュールの構成図。
【図６】従来使用されていた共用器モジュールの配置構造を示す図。
【図７】同実施形態において、新たな周波数に対応する無線変換器及びＢＰＦ及びアイソレータを追加した際の送信装置を前面から見て示した図。
【図８】同実施形態において、新たな周波数に対応する無線変換器及びＢＰＦ及びアイソレータを追加した際の送信装置を側面から見て示した図。
【符号の説明】
【００３１】
１１〜１ｎ…無線変換部、２１〜２ｎ…ＢＰＦ、３１〜３ｎ…アイソレータ、４１…アンテナ、１００…送信装置、１１０…ラック、２０１〜２０４，２１１〜２１４…シャーシ装置、５１〜５３…ケーブル、５４…終端器。
【図１】
2007006259.tif 000003
【図２】
2007006259.tif 000004
【図３】
2007006259.tif 000005
【図４】
2007006259.tif 000006
【図５】
2007006259.tif 000007
【図６】
2007006259.tif 000008
【図７】
2007006259.tif 000009
【図８】
2007006259.tif 000010